(57)【要約】【課題】  透明板に流し読取領域と固定読取領域を設けて流し読取動作と固定読取動作とを可能にした画像読取装置、及びその画像読取装置を備えた画像形成装置において、透明板の強度の低下を抑制しつつ、流し読取領域上を固定読取領域に向かう方向に搬送される原稿を良好にすくい上げること。【解決手段】  すくい上げ部材５２は左側（流し読取領域５１ａ側）の先端５２ａが、プラテンガラス５１の流し読取領域５１ａと固定読取領域５１ｂとの間の幅方向中心に穿設された有底穴５１ｃに嵌合している。また、すくい上げ部材５２の先端５２ａ以外の左側端縁５２ｂは、先端５２ａから原稿搬送方向下流側に向かって斜めに配設されている。このため、原稿は最初に先端５２ａに当接し、先端５２ａはプラテンガラス５１の上面よりも下方に延びているので、原稿を引っ掛かることなくすくい上げることができる。【選択図】  図６
2007119232.tif 000002
【特許請求の範囲】
【請求項１】
上面を原稿が搬送される流し読取領域と、上面に原稿が載置される固定読取領域とを備えた透明板と、
該透明板の下方に配設され、上記流し読取領域を搬送される原稿の画像を読み取る流し読取動作、及び、上記固定読取領域に載置された原稿の画像を読み取る固定読取動作を、選択的に実行する画像読取手段と、
上記流し読取領域上を、上記固定読取領域に向かう方向に原稿を搬送する原稿搬送手段と、
上記流し読取領域と上記固定読取領域との間に設けられ、上記流し読取領域上を搬送された原稿に当接してその原稿をすくい上げるすくい上げ手段と、
を備えた画像読取装置であって、
上記すくい上げ手段の少なくとも上記流し読取領域側の先端が、上記透明板の上面よりも下方に延び、
上記すくい上げ手段の上記流し読取領域側の端縁が、上記先端から原稿の搬送方向下流側に向かって斜めに配設されたことを特徴とする画像読取装置。
【請求項２】
上記透明板に、有底または貫通した穴が設けられ、上記先端の下部が上記穴に嵌合したことを特徴とする請求項１記載の画像読取装置。
【請求項３】
上記穴は、上記原稿搬送手段が搬送可能な最小原稿の、搬送方向と直行する方向の幅内に配置されていることを特徴とする請求項２記載の画像読取装置。
【請求項４】
上記穴が、上記幅の両端以外の内側の位置に配置されていることを特徴とする請求項３記載の画像読取装置。
【請求項５】
上記すくい上げ手段の上記固定読取領域側の端縁が、上記透明板の上面と平行に配設されたことを特徴とする請求項１〜４のいずれかに記載の画像読取装置。
【請求項６】
請求項１〜５のいずれかに記載の画像読取装置と、
その画像読取装置によって読み取られた原稿の画像に基づき、被記録媒体に画像を形成する画像形成手段と、
を備えたことを特徴とする画像形成装置。
【発明の詳細な説明】
【技術分野】
【０００１】
本発明は、原稿を搬送しながらその原稿の画像を読み取る流し読取動作と、所定領域に固定載置された原稿の画像を読み取る固定読取動作とを実行可能な画像読取装置、及び、その画像読取装置を備えた画像形成装置に関する。
【背景技術】
【０００２】
従来より、上面を原稿が搬送される流し読取領域と、上面に原稿が固定載置される固定読取領域とを備えた透明板と、該透明板の下方に配設され、上記流し読取領域を搬送される原稿の画像を読み取る流し読取動作、及び、上記固定読取領域に載置された原稿の画像を読み取る固定読取動作を、選択的に実行する画像読取手段と、上記流し読取領域上を、上記固定読取領域に向かう方向に原稿を搬送する原稿搬送手段と、上記流し読取領域と上記固定読取領域との間に設けられ、上記流し読取領域上を搬送された原稿に当接してその原稿をすくい上げるすくい上げ手段と、を備えた画像読取装置が考えられている。この種の画像読取装置では、上記透明板の流し読取領域上を原稿搬送手段によって原稿を搬送しながら、その搬送される原稿の画像を画像読取手段によって読み取ったり、或いは、上記透明板の固定読取領域に固定載置された原稿の画像を画像読取手段によって読み取ったり、使用者の所望に応じた読取動作（流し読取動作或いは固定読取動作）が実行できる。また、この種の画像形成装置では、流し読取動作の実行時には、原稿搬送手段が上記流し読取領域上を固定読取領域に向かう方向に原稿を搬送するのが一般的であるが、その原稿はすくい上げ手段によってすくい上げられ、固定読取領域の上方に蓄積されることが可能となる。
【０００３】
ここで、すくい上げ手段は、原稿搬送手段による原稿の搬送を阻害しないように設ける必要がある。そこで、上記透明板を流し読取領域と固定読取領域との間で分割し、その２分された透明板の間に断面楔状のすくい上げ手段の下端を埋めることが考えられている。この場合、透明板上を搬送された原稿はすくい上げ手段の下端に引っ掛かることなく、すくい上げ手段の上面によって良好にすくい上げられる。
【０００４】
しかしながら、このように透明板を２分してしまうと、固定読取領域では、透明板を、上記すくい上げ手段を設けた辺を除く３辺でしか支持できず、強度が低下してしまう。すなわち、ＣＩＳなどの画像読取手段は、流し読取領域の下部と固定読取領域の下部との間を往復動する必要があるため、固定読取領域は所定サイズの原稿全てを載置可能なほど大きな領域を備えているにも拘らず、上述した３辺でしか支持できないのである。従って、定読取領域上に本などの原稿が圧接されると、固定読取領域を構成する透明板が下方に撓んで画像読取手段の移動が阻害される可能性がある。そこで、透明板を２分する代わりに流し読取領域と固定読取領域との間に連続的な溝を設けて、すくい上げ手段の下端をその溝に埋め込むことや（例えば、特許文献１参照）、流し読取領域と固定読取領域との間に離散的に穴または凹部を設けてすくい上げ手段を離散的に設けることが（例えば、特許文献２参照）、提案されている。
【特許文献１】特開２０００−５００２５号公報
【特許文献２】特開平１１−１３６４３７号公報
【発明の開示】
【発明が解決しようとする課題】
【０００５】
ところが、流し読取領域と固定読取領域との間に連続的な溝を形成すると、透明板を２分した場合ほどではないが強度が低下し、透明板が下方に撓む可能性がある。また、すくい上げ手段を離散的に設けると、透明板の強度低下はある程度抑制できるものの、原稿の角が若干折れ曲がるなどして搬送された場合、すくい上げ手段の側面に原稿の折れ曲がり部分が当接して原稿全体をすくい上げることができず、結果として原稿の搬送が阻害される可能性がある。そこで、本発明は、透明板に流し読取領域と固定読取領域を設けて流し読取動作と固定読取動作とを可能にした画像読取装置、及びその画像読取装置を備えた画像形成装置において、透明板の強度の低下を抑制しつつ、流し読取領域上を固定読取領域に向かう方向に搬送される原稿を良好にすくい上げることを目的としてなされた。
【課題を解決するための手段】
【０００６】
上記目的を達するためになされた本発明の画像読取装置は、上面を原稿が搬送される流し読取領域と、上面に原稿が載置される固定読取領域とを備えた透明板と、該透明板の下方に配設され、上記流し読取領域を搬送される原稿の画像を読み取る流し読取動作、及び、上記固定読取領域に載置された原稿の画像を読み取る固定読取動作を、選択的に実行する画像読取手段と、上記流し読取領域上を、上記固定読取領域に向かう方向に原稿を搬送する原稿搬送手段と、上記流し読取領域と上記固定読取領域との間に設けられ、上記流し読取領域上を搬送された原稿に当接してその原稿をすくい上げるすくい上げ手段と、を備えた画像読取装置であって、上記すくい上げ手段の少なくとも上記流し読取領域側の先端が、上記透明板の上面よりも下方に延び、上記すくい上げ手段の上記流し読取領域側の端縁が、上記先端から原稿の搬送方向下流側に向かって斜めに配設されたことを特徴としている。
【０００７】
このように構成された本発明では、すくい上げ手段の流し読取領域側の端縁が、そのすくい上げ手段の流し読取領域側の先端から原稿の搬送方向下流側に向かって斜めに配設されている。このため、原稿搬送手段により流し読取領域上を固定読取領域に向かう方向に搬送されてきた原稿は、多少斜めに搬送されたり角が折れていたりしても最初に上記先端に当接する。上記先端は、透明板の上面よりも下方に延びているので、原稿を引っ掛かることなくすくい上げることができる。また、本発明では、少なくとも上記先端が透明板の上面よりも下方に延びていればよいので、透明板を２分したり連続的な溝を設けたりする必要がなく、透明板の強度も確保することができる。従って、本発明では、透明板の強度の低下を抑制しつつ、流し読取領域上を固定読取領域に向かう方向に搬送される原稿を良好にすくい上げることができる。
【０００８】
なお、上記先端を透明板の上面よりも下方に延ばすための構成としては、種々の構成が考えられるが、上記透明板に、有底または貫通した穴が設けられ、上記先端の下部が上記穴に嵌合した構成であってもよい。この場合、上記先端の下部を穴に嵌合させた簡単な構成であるので、透明板の強度を一層良好に確保し、製造コストも一層良好に低減することができる。
【０００９】
そしてこの場合、上記穴は、上記原稿搬送手段が搬送可能な最小原稿の、搬送方向と直行する方向の幅内に配置されていてもよい。こうすることによって、搬送手段がどのような大きさの原稿を搬送した場合でも、流し読取領域上を搬送された原稿が上記先端に当接することになり、一層良好に原稿をすくい上げることができる。
【００１０】
そして、更にこの場合、上記穴が、上記幅の両端以外の内側の位置に配置されていてもよい。こうすることによって、原稿が多少斜行して搬送された場合にも、その原稿が上記先端に当接することになり、一層良好に原稿をすくい上げることができる。
【００１１】
また、本発明は、上記すくい上げ手段の上記固定読取領域側の端縁の形態を特に限定するものではないが、その固定読取領域側の端縁が、上記透明板の上面と平行に配設された場合、次のような更なる効果が生じる。この種の画像読取装置では、すくい上げ手段によってすくい上げた原稿を、更に他のガイドに沿って搬送したり、更に他のローラによって搬送したりすることがなされる場合がある。従って、上記のように固定読取領域側の端縁が透明板の上面と平行に配設された場合、上記すくい上げられた原稿の先端（辺）も透明板の上面と平行になり、その先端を他のガイドや他のローラに案内することが一層円滑に行える。
【００１２】
また、本発明の画像形成装置は、上記いずれかに記載の画像読取装置と、その画像読取装置によって読み取られた原稿の画像に基づき、被記録媒体に画像を形成する画像形成手段と、を備えたことを特徴としている。このように構成された本発明では、上記いずれかに記載の画像読取装置よって読み取られた原稿の画像に基づき、画像形成手段によって、被記録媒体に画像を形成することができる。
【発明を実施するための最良の形態】
【００１３】
次に、本発明の実施の形態を、図面と共に説明する。図１は、本発明が適用されたインクジェット記録装置１の構成を表す外形斜視図であり、図２はその縦断面図である。但し、図２では、後述する原稿給紙ユニット４１の構成を図示省略した。
【００１４】
なお、インクジェット記録装置１は、プリンタ機能、コピー機能、スキャナ機能、ファクシミリ機能等を備えた、いわゆる多機能装置（ＭＦＤ：Multi Function Device）であり、被記録媒体として、紙またはプラスチックフィルム等のシート状の用紙が用いられる。
【００１５】
図１及び図２に示すように、インクジェット記録装置１は、ケース１ａの上部にスキャナ２を備え、その下部（ケース１ａ内の上部）に、上記各種機能において被記録媒体としての記録用紙２０への記録（画像形成）を行うための記録部７を備えている。ケース１ａ内の下部には、給紙装置３０が設けられている。
【００１６】
［記録部７の構成］
また、ケース１ａ内の後方における給紙装置３０よりも上方には、箱型の金属製のフレーム５が配置されている。フレーム５は左右方向に長いほぼ直方体形状であり、ケース１ａの内部に固定されている。
【００１７】
フレーム５内の上部には記録部７が配置されている。記録部７は、記録を行うための記録ヘッド４を搭載して左右（主走査方向）へ往復移動可能なキャリッジ４ａ及びその他の機構からなる。この記録部７において、キャリッジ４ａは左右（図２の奥，手前方向）に往復し、これによって記録ヘッド４も走査される。記録ヘッド４はこの走査時にノズルからインクを吐出することで、記録ヘッド４の下方で停止配置される記録用紙２０に画像を記録する。
【００１８】
また、記録部７におけるキャリッジ４ａの待機位置に相当する位置にはメンテナンスユニット（図示省略）が搭載されている。メンテナンスユニット部分では、ブレード等による記録ヘッド４のノズル面の拭き取りを行うワイピング動作や、ノズル内からゴミや空気、更には固化したインクを強制的に除去するためのパージ動作、フラッシング動作等の各種メンテナンス動作が行われる。
【００１９】
ケース１ａ内部の前方には、フルカラー画像記録のための４色（ブラック、シアン、マゼンタ、イエロー）のインクをそれぞれ収容した４個のインクカートリッジ（図示省略）が収納されている。これらのインクカートリッジは、着脱可能に構成されており、インクの補充を行う場合はインクカートリッジごと交換する。
【００２０】
上記各インクカートリッジに収容されているインクは、各インクカートリッジと記録ヘッド４とを結ぶ４本のインク供給チューブ１１を介して記録ヘッド４へ供給されるように構成されている。そして、これらのインク供給チューブ１１は、キャリッジ４ａの往復運動に対して従動可能に支持されている。
【００２１】
また、フレーム５の後方には、給紙装置３０の後方から記録部７へと記録用紙２０を案内する搬送路５ａが形成されている。記録部７は、搬送路５ａの出口に隣接する箇所に搬送ローラ７ａを有し、画像の記録された記録用紙２０を排出する箇所に排出ローラ７ｂを有する。この搬送ローラ７ａは用紙搬送モータ（図示省略）の回転駆動力を受けて回転する。
【００２２】
給紙装置３０は、ケース１ａの開口部１ｂから挿入されてセットされた給紙カセット３を備えている。この給紙カセット３には、積み重ねた記録用紙２０を収納する用紙収納部３ａが設けられ、給紙カセット３がケース１ａ内に挿入されると、用紙収納部３ａ内の記録用紙２０はケース１ａ内の後方に配置される。
【００２３】
そして、用紙収納部３ａの最上層に積層されている記録用紙２０は、給紙ローラ８が回転することにより、搬送路５ａを経て記録部７へ送り出される。なお、給紙ローラ８は、駆動軸９に軸支された長尺状のアーム１０の先端部に回転可能に保持されており、駆動軸９が給紙モータ（図示省略）の回転駆動力を受けて回転することにより、その回転が伝達されて給紙ローラ８が回転するよう構成されている。
【００２４】
また、インクジェット記録装置１の上部前面には、各種操作ボタンや液晶パネルなどからなる操作パネル６が設けられている。この操作パネル６により、ユーザは当該インクジェット記録装置１におけるプリンタモード、コピーモード、スキャナモード、ファクシミリモードといった各モードの選択をしたり、各種モードにおける各種設定項目を設定したり、ファクシミリ番号などの必要事項を入力したり、動作状況や通信履歴などを確認したりすることができる。
【００２５】
［スキャナ２の構成］
スキャナ２は、フラットベッド方式（ＦＢ）及び自動給紙方式（ＡＤＦ）の双方による読取が可能なタイプのものである。このスキャナ２は、図１に示すように、操作パネル６と一体のフラットベッド部２ａに対してカバー部２ｂを開閉可能に取り付けてなるクラムシェル型の開閉構造を備えている。また、カバー部２ｂの左端には原稿給紙ユニット４１が上方へ突出して設けられ、その原稿給紙ユニット４１の上面には、原稿給紙ユニット４１の右端を支点として開閉可能な原稿給紙トレイ４２が設けられている。
【００２６】
すなわち、原稿給紙トレイ４２は図３に示すように開放可能で、原稿給紙トレイ４２を開放すると、一対のガイド４３（図３では一方のみ図示）が表れる。なお、図３は、カバー部２ｂを図１の奥側から見た斜視図である。この一対のガイド４３は、図示しないリンクにより連結されており、ガイド溝４３ａに沿って、原稿給紙トレイ４２の原稿搬送方向と直行する方向（以下、幅方向という）の中心に対して対称に移動するように構成されている。
【００２７】
図４は、スキャナ２の内部構造を表す横断面図である。図４に示すように、原稿給紙ユニット４１は、原稿（図示せず）を分離パッド４４との間に挟んで１枚ずつ分離する分離ローラ４５と、上記一対のガイド４３の間に配設された原稿の先端を分離パッド４４と分離ローラ４５との間に搬送する予備送りローラ４６とを備えている。また、分離ローラ４５の原稿搬送方向下流側には、原稿を１８０°折り返しながらプラテンガラス５１上に給紙する原稿給紙ローラ４７が設けられている。
【００２８】
このため、前述のように開放された原稿給紙トレイ４２に載置された原稿は、予備送りローラ４６及び分離ローラ４５によって１枚ずつ分離された後、原稿給紙ローラ４７に送られる。原稿給紙ローラ４７は、原稿をプラテンガラス５１上の後述する流し読取領域５１ａ上を搬送し、更に、すくい上げ部材５２，ガイド５３を介して排紙ローラ５４へ搬送する。排紙ローラ５４は、上記搬送された原稿を更に搬送し、カバー部２ｂの上面に設けられた原稿排紙トレイ５５へ原稿を排紙する。なお、原稿排紙トレイ５５の右端には、原稿の脱落を防止する原稿受け５５ａが収納可能に設けられている。
【００２９】
プラテンガラス５１は、前述のように原稿給紙ユニット４１によっていわゆる自動給紙方式による読取がなされる流し読取領域５１ａと、カバー部２ｂを開放してフラットベッド方式による読取がなされる固定読取領域５１ｂとを備え、前述のすくい上げ部材５２は流し読取領域５１ａと固定読取領域５１ｂとの間に設けられている。更に、プラテンガラス５１の下方には、流し読取領域５１ａから固定読取領域５１ｂの全体に渡ってガイド６０に沿って移動可能な読取ヘッド６１が設けられている。なお、読取ヘッド６１は、図５に拡大して示すように、イメージデバイス６３、セルフォックレンズ６４、及び光源６５を備え、プラテンガラス５１上の原稿に対して光源６５から光を照射し、原稿からの反射光をセルフォックレンズ６４によってイメージデバイス６３に結像し、イメージデバイス６３で画像を読み取るように構成されている。
【００３０】
［すくい上げ部材の構成及び効果］
次に、図６は、プラテンガラス５１及びすくい上げ部材５２の構成を表す三面図で、図６（Ａ）は後面図、図６（Ｂ）は上面図、図６（Ｃ）は左面図を、それぞれ表している。図６に示すように、すくい上げ部材５２は、左側（流し読取領域５１ａ側）の先端５２ａが、プラテンガラス５１に穿設された有底穴５１ｃに嵌合している。なお、有底穴５１ｃは、プラテンガラス５１の流し読取領域５１ａと固定読取領域５１ｂとの間の幅方向中心位置に穿設されている。また、すくい上げ部材５２の先端５２ａ以外の左側端縁５２ｂは、先端５２ａから右側（原稿搬送方向下流側）に向かって斜めに配設されている。先端５２ａはすくい上げ部材５２の幅方向中心に設けられ、上記左側端縁５２ｂは幅方向に対称に傾斜している。更に、図６（Ａ）に示すように、上記左側端縁５２ｂは、全体に亘って、左下から右上に向かって斜めに配設されたテーパ面を形成している。また、すくい上げ部材５２の右側端縁５２ｃは、幅方向に平行でプラテンガラス５１に直行する矩形面を構成し、その上端縁はプラテンガラス５１の上面と平行に配設されている。
【００３１】
図７（Ａ）は、図６（Ｂ）におけるＢ−Ｂ線断面の先端５２ａ近傍を拡大して表す断面図であり、図７（Ｂ）は、図６（Ｂ）におけるＡ−Ａ線断面の先端５２ａ近傍を拡大して表す断面図である。図６（Ｂ）及び図７（Ａ），（Ｂ）に示すように、有底穴５１ｃは、深さが一定の円筒状の有底穴として構成され、先端５２ａは、その有底穴５１ｃに、上記テーパ面に沿って延びるように嵌合している。また、図８（Ａ），（Ｂ）には、プラテンガラス５１及びすくい上げ部材５２を含むフラットベッド部２ａを、カバー部２ｂを取り外した状態で描いた平面図及び斜視図を示したので、参照されたい。
【００３２】
このように構成されたスキャナ２では、流し読取領域５１ａ上を前述のように原稿給紙ローラ４７によって搬送される原稿を、次のように良好にすくい上げることができる。すなわち、すくい上げ部材５２の左側端縁５２ｂは先端５２ａに対して原稿搬送方向下流側に向かって斜めに配設されているので、流し読取領域５１ａ上を原稿給紙ローラ４７によって搬送された原稿は、多少斜めに搬送されたり角が折れていたりしても最初に先端５２ａに当接する。先端５２ａは、前述のように、プラテンガラス５１の上面よりも下方に延びているので、原稿を引っ掛かることなくすくい上げることができる。
【００３３】
その後、原稿は、すくい上げ部材５２の上面に沿って全体がすくい上げられる。更に、すくい上げ部材５２の右側端縁５２ｃの上端縁はプラテンガラス５１の上面と平行に配設されているので、上記すくい上げられた原稿の先端（辺）もプラテンガラス５１の上面と平行になり、その原稿をガイド５３へ案内することも円滑に行える。
【００３４】
更に、本実施の形態では、プラテンガラス５１に有底穴５１ｃを設けるだけですくい上げ部材５２を上記のように取り付けることができ、プラテンガラス５１を２分したり、プラテンガラス５１に連続的な溝を設けたりする必要もない。従って、プラテンガラス５１の強度を確保し、固定読取領域５１ｂ上に本などが圧接されている場合でも読取ヘッド６１を円滑に移動させることができる。また、有底穴５１ｃではなく、プラテンガラス５１に貫通穴を設けてもよい。
【００３５】
なお、上記実施の形態において、プラテンガラス５１が透明板に、読取ヘッド６１が画像読取手段に、原稿給紙ローラ４７が原稿搬送手段に、すくい上げ部材５２がすくい上げ手段に、記録部７が画像形成手段に、それぞれ相当する。
【００３６】
［本発明の他の実施の形態］
また、本発明は、上記実施の形態に何ら限定されるものではなく、本発明の要旨を逸脱しない範囲で種々の形態で実施することができる。例えば、すくい上げ部材５２の先端５２ａは必ずしも幅方向中央に配設される必要はない。例えば、少なくとも、ガイド４３によって案内可能な最小幅の原稿の幅内（望ましくは両端以外の内側の位置）に先端５２ａが配設されていれば、各種原稿を前述のように良好にすくい上げることができる。また、先端５２ａは有底穴５１ｃに嵌合しているため、先端５２ａの配設位置が決定されることによって有底穴５１ｃの配設位置も決定される。従って、有底穴５１ｃも、ガイド４３によって案内可能な最小幅の原稿の幅内（望ましくは両端以外の内側の位置）に配設されていることが望ましい。
【００３７】
また、図９に示すように、原稿給紙トレイ４２が、ガイド溝４３ａに沿って移動するガイド４３を一方の側にのみ備えている場合、図１０〜図１２に示すように、すくい上げ部材５２の先端５２ａは、ガイド４３がない側（図９〜図１２の例では後側）の原稿搬送経路端部に配設してもよい。すなわち、この場合は、原稿搬送路の後側を常に原稿の端縁が通過するので、図１０〜図１２に示すように、先端５２ａを原稿搬送経路の後側端部に配設しても、前述の実施の形態とほぼ同様の効果が生じる。
【００３８】
なお、図１０〜図１２は、上記実施の形態の図６〜図８に対応する図で、図１０（Ａ）は後面図、図１０（Ｂ）は上面図、図１０（Ｃ）は左面図、図１１（Ａ）は図１０（Ｂ）におけるＢ−Ｂ線断面の拡大図、図１１（Ｂ）は図１０（Ｂ）におけるＡ−Ａ線断面の拡大図、図１２（Ａ），（Ｂ）はフラットベッド部２ａの平面図及び斜視図である。各図に示すように、この場合、すくい上げ部材の端に配設された先端５２ａから、左側端縁５２ｂが一直線状に斜めに配設される。
【００３９】
但し、先端５２ａをこのように後端に設ける場合に比べ、図１３〜図１５に示すように、後端より少し手前で、ガイド４３によって案内可能な最小幅の原稿の幅内（望ましくは最小幅の原稿搬送経路の中心近傍）に先端５２ａを設けた場合、原稿が多少斜行してもその原稿を良好にすくい上げることができる。なお、図１３〜図１５は、上記実施の形態の図６〜図８に対応する図で、図１３（Ａ）は後面図、図１３（Ｂ）は上面図、図１３（Ｃ）は左面図、図１４（Ａ）は図１３（Ｂ）におけるＢ−Ｂ線断面の拡大図、図１４（Ｂ）は図１３（Ｂ）におけるＡ−Ａ線断面の拡大図、図１５（Ａ），（Ｂ）はフラットベッド部２ａの平面図及び斜視図である。
【００４０】
更に、上記各実施の形態では、スキャナ２によって読み取られた原稿の画像に基づき記録部７で画像を形成可能なコピー機能を備えた多機能装置に本発明を適用しているが、本発明は、画像形成手段を備えない単なるスキャナにも適用することができる。
【図面の簡単な説明】
【００４１】
【図１】本発明が適用されたインクジェット記録装置の構成を表す外形斜視図である。
【図２】そのインクジェット記録装置の構成を表す縦断面図である。
【図３】そのインクジェット記録装置のスキャナのカバー部の構成を表す斜視図である。
【図４】そのインクジェット記録装置のスキャナの内部構造を表す横断面図である。
【図５】そのスキャナの読取ヘッドの構成を表す拡大断面図である。
【図６】そのスキャナのプラテンガラス及びすくい上げ部材の構成を表す三面図である。
【図７】そのプラテンガラス及びすくい上げ部材の構成を表す要部拡大断面図である。
【図８】そのスキャナのフラットベッド部の構成を表す平面図及び斜視図である。
【図９】他の実施の形態におけるスキャナのカバー部の構成を表す斜視図である。
【図１０】そのスキャナのプラテンガラス及びすくい上げ部材の構成を表す三面図である。
【図１１】そのプラテンガラス及びすくい上げ部材の構成を表す要部拡大断面図である。
【図１２】そのスキャナのフラットベッド部の構成を表す平面図及び斜視図である。
【図１３】更に他の実施の形態のスキャナのプラテンガラス及びすくい上げ部材の構成を表す三面図である。
【図１４】そのプラテンガラス及びすくい上げ部材の構成を表す要部拡大断面図である。
【図１５】そのスキャナのフラットベッド部の構成を表す平面図及び斜視図である。
【符号の説明】
【００４２】
１…インクジェット記録装置    ２…スキャナ              ２ａ…フラットベッド部
２ｂ…カバー部                ４…記録ヘッド            ７…記録部
２０…記録用紙                ４１…原稿給紙ユニット    ４２…原稿給紙トレイ
４３…ガイド                  ４７…原稿給紙ローラ      ５１…プラテンガラス
５１ａ…流し読取領域          ５１ｂ…固定読取領域      ５１ｃ…有底穴
５２…すくい上げ部材          ５２ａ…先端              ５２ｂ…左側端縁
５２ｃ…右側端縁              ５３…ガイド              ５４…排紙ローラ
５５…原稿排紙トレイ          ６０…ガイド              ６１…読取ヘッド
【図１】
2007119232.tif 000003
【図２】
2007119232.tif 000004
【図３】
2007119232.tif 000005
【図４】
2007119232.tif 000006
【図５】
2007119232.tif 000007
【図６】
2007119232.tif 000008
【図７】
2007119232.tif 000009
【図８】
2007119232.tif 000010
【図９】
2007119232.tif 000011
【図１０】
2007119232.tif 000012
【図１１】
2007119232.tif 000013
【図１２】
2007119232.tif 000014
【図１３】
2007119232.tif 000015
【図１４】
2007119232.tif 000016
【図１５】
2007119232.tif 000017